(57)【特許請求の範囲】
【請求項１】
合成樹脂の縦糸と横糸とこれらより細い中間糸をそれぞれの交点で融着し、縦糸と横糸で形成される方形網目内に中間糸を具備させた合成樹脂ネットを、その縦糸、横糸及び中間糸がいずれも建築用の基板の裏面に近接するように該基板の裏面に重ね合わせ、中間糸を覆うように接着剤を方形網目内に充填すると共に、縦糸、横糸及び中間糸と該基板の裏面との間に接着剤を薄層状に介在させて、合成樹脂ネットと該基板を接着一体化したことを特徴とする建築用板。
【発明の詳細な説明】
【０００１】
【発明の属する技術分野】
本発明は、壁や床に貼付けられて外部からの衝撃を吸収、緩和することができる建築用板に関する。
【０００２】
【従来の技術】
従来の建物の外壁や間仕切り壁は、その軸組の片面側または両面側に壁板を貼付けた構造のものが多い。このような構造の外壁や間仕切り壁は、施工が簡単であるという長所を有するが、壁板として合板、無機質パネル、合成樹脂パネル等が、以下に述べるような問題があった。
【０００３】
【発明が解決しようとする課題】
即ち、上記の壁板として使用する合板、無機質パネル、合成樹脂パネル等は、外部からの衝撃を殆ど吸収できないという問題があり、外部から衝撃を受けると破損しやすいという問題があった。また、衝撃音も大きく、特に、軸組の両側に壁板を貼付けた中空構造の壁では、共鳴によって衝撃音が更に大きくなるという問題があった。
【０００４】
このような問題に対処するため、軸組と壁板の間に緩衝シート等を挟み込んで衝撃を緩和することも行われているが、建築現場で緩衝シート等を挟み込む作業は面倒で施工性低下の一因となっており、また、緩衝シートの位置ずれや剥離、脱落等が生じる恐れもあった。
【０００５】
同様に、床板を貼付ける場合も、衝撃の低減を図るために緩衝シート等を介在させることがあるが、床板を貼付ける前に緩衝シート等を敷設する作業が追加されるので施工性が低下し、また、緩衝シートの位置ズレが生じることもあった。
【０００６】
本発明は上記の問題に対処すべくなされたもので、その目的とするところは、壁板や床板として貼付けるだけで外部からの衝撃を吸収、緩和でき、破損の防止や衝撃音の低減を図ることができる建築用板を提供することにある。
【０００７】
【課題を解決するための手段】
上記目的を達成するため、本発明に係る建築用板は、合成樹脂の縦糸と横糸とこれらより細い中間糸をそれぞれの交点で融着し、縦糸と横糸で形成される方形網目内に中間糸を具備させた合成樹脂ネットを、その縦糸、横糸及び中間糸がいずれも建築用の基板の裏面に近接するように該基板の裏面に重ね合わせ、中間糸を覆うように接着剤を方形網目内に充填すると共に、縦糸、横糸及び中間糸と該基板の裏面との間に接着剤を薄層状に介在させて、合成樹脂ネットと該基板を接着一体化したことを特徴とするものである。
【０００８】
このような構成の建築用板を壁板や床板として貼付けると、外部から衝撃力が作用したとき、基板裏面の比較的柔軟な合成樹脂ネットが緩衝作用を発揮して衝撃力を吸収、緩和することができる。そのため、基板の破損を防止でき、衝撃音を抑制することができる。しかも、合成樹脂ネットは基板と接着一体化されているため、建築現場で合成樹脂ネットを挟み込む面倒な作業が一切不要となり、良好な施工性を維持することができる。特に、本発明の建築用板は、合成樹脂ネットが縦糸と横糸で形成される方形網目内に細い中間糸を有するネットであり、この中間糸を覆うように接着剤を方形網目内に充填して合成樹脂ネットと基板を接着一体化したものであるから、基板に対する合成樹脂ネットの接着強度が極めて大きい。従って、合成樹脂ネットが基板から剥離、脱落する恐れが皆無に等しく、長期に亘って良好な緩衝作用を持続して発揮することができる。
【０００９】
【発明の実施の形態】
以下、図面を参照して本発明の具体的な実施形態を詳述する。
【００１０】
図１は本発明の一実施形態に係る建築用板の部分背面図、図２は図１のＡ−Ａ線拡大部分断面図、図３（ａ）は同建築用板に用いる合成樹脂ネットの部分平面図、図３（ｂ）は図３（ａ）のＢ−Ｂ線部分断面図、図４は同建築用板の一使用例を示す部分断面図、図５は同建築用板の他の使用例を示す部分断面図である。
この建築用板Ｐは、図１，図２に示すように、建築用の基板１の裏面に合成樹脂ネット２を重ね合わせて接着剤３により接着一体化したものである。
【００１１】
基板１は、従来から壁板や床板として汎用されている建築用の板材であれば全て使用可能であり、例えば、建築用の合板、無機質板、樹脂板などが好適に使用される。
【００１２】
合成樹脂ネット２は、図３（ａ），（ｂ）に示すように、合成樹脂の太い縦糸２ａと横糸２ｂとこれらより細い中間糸２ｄをそれぞれの交点で融着することによって、太い縦糸２ａと横糸２ｂで形成される方形網目２ｃの内部に細い中間糸を具備させたネットである。この中間糸２ｄは、図３（ａ）に示すネット２では方形網目２ｃの内部に縦方向に設けられているが、横方向に設けられていてもよく、また、縦横の方向に２本設けられていてもよい。
【００１３】
この合成樹脂ネット２は、図１，図２に示すように、縦糸２ａ、横糸２ｂ、中間糸２ｄがいずれも基板１の裏面に近接するように基板１の裏面に重ね合わされ、細い中間糸２ｄを覆うように方形網目２ｃの内部に充填された接着剤３によって、基板１と接着一体化されている。そのため、基板１に対する合成樹脂ネット２の接着強度は極めて大きく、基板１から合成樹脂ネット２が剥離、脱落する恐れは皆無に等しい。なお、図２には図示されてないが、合成樹脂ネット２の各糸２ａ，２ｂ，２ｄと基板１の裏面との間には上記の接着剤が薄層状に介在しており、この接着剤によって各糸２ａ，２ｂ，２ｄが基板１の裏面に直接接着されている。
【００１４】
以上のような建築用板Ｐは、例えば図４に示すように、柱４ａと胴抜き４ｂにより構成される軸組４の片面側（例えば屋外側）に、該建築用板Ｐの合成樹脂ネット２が内側となるように止具等(不図示)で貼付固定して使用される。そして、軸組４の反対面側（例えば屋内側）には通常の内装用の壁板５が貼付固定され、中空構造の壁が形成される。尚、図４の壁にあっては、柱４ａとしてＨ鋼が使用されているが、これ以外の角柱を使用しても勿論よく、また、壁板５に代えて本発明の建築用板Ｐを軸組４の反対面側に貼付固定しても勿論よい。
【００１５】
このように軸組４の片面側に本発明の建築用板Ｐを貼付固定すると、外部から衝撃力が建築用板Ｐの基板１に作用したとき、基板裏面の比較的柔軟な合成樹脂ネット２によって衝撃力を吸収、緩和することができる。そのため、基板１が破損し難くなり、衝撃音も大幅に低減することができる。しかも、合成樹脂ネット２は既述したように基板１の裏面に強固に接着一体化されているため、基板１から剥離、脱落する恐れは皆無に等しく、長期に亘って良好な緩衝作用を持続して発揮することができる。また、本発明の建築用板Ｐを使用すると、従来のように建築現場で軸組４と壁板との間に緩衝シート等を挟み込む面倒な作業が一切不要となるため、施工性も良好である。
【００１６】
尚、軸組４の中空部に吸音性の充填材（例えば、建設現場から発生する廃材の破砕片をバインダーで固めたものなど）を充填しておくと、衝撃音を更に低減させることができ、また、樹脂発泡体などの断熱材を充填すると、壁の断熱性を向上させることもできる。
【００１７】
図６は本発明の建築用板Ｐの他の使用例を示す部分断面図であって、集合住宅等におけるコンクリート製の床地６の表面に、床板として本発明の建築用板Ｐをその合成樹脂ネット２を下側にして敷設したものである。
【００１８】
このように本発明の建築用板Ｐを床板として敷設すると、子供達が飛び跳ねても、その衝撃が建築用板Ｐの基板裏面の合成樹脂ネット２によって吸収、緩和されるため、階下に衝撃が伝わり難くなる。また、施工の際には、従来のように緩衝シート等を敷設する作業が一切不要となるので、施工性も良好である。
【００１９】
【発明の効果】
以上の説明から明らかなように、本発明の建築用板は、外部からの衝撃を基板裏面の合成樹脂ネットで吸収、緩和することができ、基板の破損防止や衝撃音の低減を図ることができるといった効果を奏する。しかも、合成樹脂ネットの剥離や脱落等が生じないため長期に亘って良好な緩衝作用を持続して発揮することができ、また、建築現場で緩衝シート等の挟み込み作業や敷設作業が一切不要となるため施工性も良好であるといった顕著な効果を奏する。
【図面の簡単な説明】
【図１】本発明の一実施形態に係る建築用板の部分背面図である。
【図２】図１のＡ−Ａ線拡大部分断面図である。
【図３】（ａ）は同建築用板に用いる合成樹脂ネットの部分平面図、（ｂ）は（ａ）のＢ−Ｂ線部分断面図である。
【図４】同建築用板の一使用例を示す部分断面図である。
【図５】同建築用板の他の使用例を示す部分断面図である。
【符号の説明】
Ｐ  建築用板
１  基板
２  合成樹脂ネット
２ａ  縦糸
２ｂ  横糸
２ｃ  方形網目
２ｄ  中間糸
３  接着剤
４  軸組
４ａ  柱
４ｂ  胴ぬき
【図１】
0003942933.tif 000002
【図２】
0003942933.tif 000003
【図３】
0003942933.tif 000004
【図４】
0003942933.tif 000005
【図５】
0003942933.tif 000006